(57)【要約】    【課題】  顔写真入りＩＤカードを作成するに当たって、被写体を画面内の所望位置に位置させるための人手によるカメラの向き調整を不要とする。    【解決手段】  検出回路２６〜２８により撮影画面内における被写体の顔部の位置を検出し、該検出結果に基づいて、ビデオカメラの撮影高さを変更すると共に、顔画像を撮影画面よりも小さい画枠内に設定し、前記画枠内に設定された顔画像を印刷する。【選択図】  図４
2004201331.tif 000002
【特許請求の範囲】
【請求項１】
被撮影者の光学像を電気画像信号に変換する撮影手段と、
前記撮影手段で撮影された被撮影者の顔画像を表示するための表示手段と、
前記被撮影者と前記撮影手段との距離を所定値に設定する撮影距離設定手段と、
前記被撮影者の顔画像を印刷する印刷手段と、
前記撮影手段で得られた前記電気画像信号を解析して前記被撮影者の顔部の撮影画面内での位置を検出する顔画像位置検出手段と、
前記顔画像位置検出手段による検出結果に基づいて前記顔画像を前記撮影画面より小さい所定寸法の縦横の画枠内に設定する画枠設定手段と、
を含んで構成され、
前記画枠設定手段により前記画枠内に設定された前記顔画像を前記印刷手段により印刷することを特徴とする顔画像印刷システム。
【請求項２】
前記顔画像と共に、前記画枠設定手段による画枠設定状態を前記表示手段に表示させる画枠設定状態表示手段を設けたことを特徴とする請求項１記載の顔画像印刷システム。
【請求項３】
被撮影者の光学像を電気画像信号に変換する撮影手段と、
前記撮影手段で撮影された被撮影者の顔画像を表示するための表示手段と、
前記被撮影者と前記撮影手段との距離を所定値に設定する撮影距離設定手段と、
前記被撮影者の画像を印刷する印刷手段と、
前記撮影手段で得られた前記電気画像信号を解析して前記被撮影者の顔部の撮影画面内での高さを検出する顔画像高さ検出手段と、
前記顔画像高さ検出手段による検出結果に基づいて前記撮影手段による撮影高さを垂直方向に変更させる撮影高さ変更手段と、
前記撮影高さ変更手段による撮影高さ変更後に得られた顔画像を前記撮影画面より小さい所定寸法の縦横の画枠内に設定する画枠設定手段と、
を含んで構成され、
前記画枠設定手段により前記画枠内に設定された前記顔画像を前記印刷手段により印刷することを特徴とする顔画像印刷システム。
【請求項４】
被撮影者と撮影手段との距離を所定値に設定し、前記撮影手段により前記被撮影者の光学像を電気画像信号に変換する一方、前記電気画像信号を解析して前記被撮影者の顔部の撮影画面内での位置を検出すると共に、該検出結果に基づいて前記顔画像を撮影画面より小さい所定寸法の縦横の画枠内に設定し、前記画枠内に設定された顔画像を印刷することを特徴とする顔画像印刷方法。
【請求項５】
前記顔画像と共に、前記画枠の設定状態を表示手段に表示させることを特徴とする請求項４記載の顔画像印刷方法。
【請求項６】
被撮影者と撮影手段との距離を所定値に設定し、前記撮影手段により前記被撮影者の光学像を電気画像信号に変換する一方、前記電気画像信号を解析して前記被撮影者の顔部の撮影画面内での高さを検出し、該検出結果に基づいて前記撮影手段による撮影高さを垂直方向に変更させると共に前記顔画像を撮影画面より小さい所定寸法の縦横の画枠内に設定し、撮影高さ変更後に前記画枠内に設定された前記顔画像を印刷することを特徴とする顔画像印刷方法。
【請求項７】
請求項１〜３のいずれか１つに記載の顔画像印刷システムにより印刷された印刷物。
【発明の詳細な説明】
【技術分野】
【０００１】
本発明は顔画像印刷システム，顔画像印刷方法，印刷物に関し、詳しくは、撮影された画像の中から顔画像を電気的に切り出して印刷させる技術に関する。
【背景技術】
【０００２】
所謂ＩＤカード（Identification Card ）の中でも、特定資格を証明するためのＩＤカードにおいては、本人の顔画像と、本人の住所，氏名，個人識別番号等ＩＤデータ（文字情報）とを記録する形態とすることが多い。
上記のようなＩＤカードの作成方法としては、本人の顔画像をビデオカメラで撮影し、このビデオカメラで得られる顔画像データ（イメージデータ）と、別途入力される氏名，住所，個人識別番号等のＩＤデータ（文字コード）とを対としてプリンタに出力し、該プリンタでＩＤカードを作成させる構成としたものが知られている（特許文献１参照）。
【０００３】
上記のようにビデオカメラを用いてＩＤカード用の顔画像を撮影する際には、一般的に行なわれている銀塩写真感光材料（銀塩フィルム）による証明写真撮影の場合と同様に、本人をバックスクリーンの前の所定位置に置いた椅子に座らせ、オペレータがビューファインダーやモニタ等で確認しながらカメラの向きを上下左右に振って、本人の顔画像が、画枠によって切られることがなくかつ画面内の略中央に位置するように調整してから、シャッタを切ることになる。
【特許文献１】特開平０１−２０６０９８号公報
【発明の開示】
【発明が解決しようとする課題】
【０００４】
しかし、オペレータが撮影画像を確認しながらカメラの向きを上下左右に振ってフレーミングを行う構成では、ＩＤカードの作成における撮影時間の短縮及び作成用人員の削減を妨げる原因となってしまうという問題があった。
本発明は上記問題点に鑑みなされたものであり、被写体を画面内の所望位置に位置させるための人手によるカメラの向き調整が不要な顔画像印刷システム及び方法を提供することを目的とする。
【課題を解決するための手段】
【０００５】
そのため請求項１，４に係る発明では、被撮影者と撮影手段との距離を所定値に設定して、被撮影者の光学像を電気画像信号に変換すると共に、前記電気画像信号を解析することで被撮影者の顔部の撮影画面内での位置を検出し、該検出結果に基づいて前記顔画像を撮影画面より小さい所定寸法の縦横の画枠内に設定し、前記画枠内に設定された顔画像を印刷する構成とした。
【０００６】
係る構成によると、画像解析による顔部の位置検出に基づいて撮影画面内の顔画像が画枠内に設定されて、顔画像の印刷が行なわれるから、人手により撮影手段の向きを調整することが不要となり、撮影・印刷の自動化を図ることが可能になる。
請求項２．５に係る発明では、前記顔画像と共に、画枠設定状態を表示させる構成とした。
【０００７】
係る構成によると、画枠の設定状態を目視によって容易かつ確実に判断できる。
請求項３，６に係る発明では、被撮影者と撮影手段との距離を所定値に設定して、被撮影者の光学像を電気画像信号に変換すると共に、前記電気画像信号を解析することで被撮影者の顔部の撮影画面内での高さを検出し、該検出結果に基づいて前記撮影手段による撮影高さを垂直方向に変更した後、前記顔画像を撮影画面より小さい所定寸法の縦横の画枠内に設定し、前記画枠内に設定された前記顔画像を印刷する構成とした。
【０００８】
係る構成によると、画像解析によって検出された顔部の撮影画面内での高さに応じて、撮影手段の撮影高さを垂直方向に変更するので、被撮影者の顔部を撮影画面内に収めることができ、更に、撮影画面内の顔画像が画枠内に設定されて顔画像の印刷が行なわれるから、撮影・印刷の自動化を図ることが可能になる。
請求項７に係る発明は、請求項１〜３のいずれか１つに記載された顔画像印刷システムにより印刷された印刷物であり、前記印刷物とは例えば顔写真入りのＩＤカードである。
【発明を実施するための最良の形態】
【０００９】
以下に本発明の実施例を説明する。
尚、以下に説明する本実施例の顔画像印刷システムは、被写体の顔画像（顔及び肩の部分を含む画像）を撮影して顔写真入りのＩＤカードをプリントするためのシステムである。
図１は、本発明にかかるシステムにおける撮影装置の外観斜視図であり、キャスター付き台１の上に設置された手動式エレベータ２に、ビデオカメラ３（撮影手段）が支持されている。
【００１０】
更に、前記ビデオカメラ３は、その向きがパルスモータ４（撮影高さ変更手段）の駆動によって上下に変化できるように支持されている。
一方、被写体の人物は、青色のバックスクリーン６の前の所定位置に置かれた椅子７に座らせるようにしてあり、被写体が前記椅子７に座ることで、ビデオカメラ３と被写体との距離が所定値に設定される（撮影距離設定手段）。
【００１１】
ここで、上記撮影装置において、以下に示すようなオートフレーミング機能が備えられている。
まず、椅子７に座った被写体人物のビデオカメラ３の撮影範囲に対する上下方向の位置ずれを、ビデオカメラ３で得られた画像信号を解析して検出する。
そして、検出された上下方向の位置ずれに基づいて前記パルスモータ４によってビデオカメラ３の向きを上下に振って調整する。
【００１２】
次いで、椅子７に座った被写体人物のビデオカメラ３の撮影範囲に対する左右方向の位置ずれを、同じくビデオカメラ３で得られた画像信号を解析して検出する。
そして、検出された左右方向の位置ずれに基づいて、前記画像信号から最終画像を切り出す範囲をその左右方向に変更し、被写体が左右方向で中央に位置する画像を電気的に切り出す。
【００１３】
これにより、被写体が画面内の所定位置に位置する画像を自動的に得られるものであり、かかるオートフレーミング機能を実現するための制御回路が以下のように設けられている。
図２に示す制御ユニットは、コンピュータと、オートフレーミング用の回路が組まれたオートフレーミング基板10とを主な要素として構成されている。
【００１４】
尚、後述するように、本実施例において、画枠設定手段，画枠設定状態表示手段としての機能は、前記コンピュータとオートフレーミング基板10とによって実現される。
前記オートフレーミング基板10には、前記ビデオカメラ３からのアナログカラー画像信号が入力され、また、処理された画像信号をＣＲＴ35（表示手段）に出力する機能を備えている。
【００１５】
一方、コンピュータは、ＣＰＵ11，ＲＯＭ12，ＲＡＭ13，タイマー14，デバック用の汎用インターフェイス（例えばＲＳ232 Ｃ）15等を含んで構成され、前記ビデオカメラ３で撮影された画像を最終的には、図示省略したＩＤカード作成用プリンタ（印刷手段）に出力して、顔画像が印刷されたＩＤカード（印刷物）を得る。
前記オートフレーミング基板10では、入力される画像信号に基づいて、画面上端から被写体人物の頭までの距離ＨＶ、画面左端から頭までの距離Ｌ、更に、頭の幅ＨＷを求め（図３参照）、これらの情報をコンピュータに出力する。
【００１６】
一方、コンピュータでは、前記画面上端から被写体人物の頭までの距離ＨＶに基づいてパルスモータ４を制御する一方、画面左端から頭までの距離Ｌ及び頭の幅ＨＷに基づいて、被写体の左右方向の位置ずれを示すデータを演算し、これを前記オートフレーミング基板10に出力すると共に、前記距離Ｌ及び幅ＨＷを検出する位置を指定するデータ（横ずれ検査位置指定データ）を前記オートフレーミング基板10に出力する。
【００１７】
コンピュータには、前記パルスモータ４によるビデオカメラ３の揺動位置を３段階（上中下）に検出するカメラ位置センサ16ａ〜16ｃからの検出信号が入力されると共に、前記パルスモータ４の駆動回路17に駆動制御信号を出力する構成となっている。
また、オペレータが操作する確定スイッチ19，位置入力装置20の操作信号がインターフェイス18を介してコンピュータに入力される。
【００１８】
前記オートフレーミング基板10は、図４に示すような回路を備えて構成されている。
図４において、ビデオカメラ３から出力されるＲＧＢのアナログ画像信号は、バッファアンプ21，ローパスフィルタ22，ペデスタルクランプ23を介した後、Ａ／Ｄコンバータ24によってディジタル画像信号に変換される。
前記ディジタル画像信号は、バックスクリーン６の青に対応するブルー検出回路25に入力され、このブルー検出回路25により画面内における青領域（背景色領域）の検出が行われる。
【００１９】
そして、かかる青領域の検出結果に基づいて、各検出回路26〜28が、画面上端から被写体の頭までの距離ＨＶ、画面左端から頭までの距離Ｌ、更に、頭の幅ＨＷを求め（図３参照）、この検出結果をコンピュータに出力する。
前記検出回路26〜28が、顔画像位置検出手段，顔画像高さ検出手段に相当する。
前記ブルー検出回路25は、Ｒ，Ｇ，Ｂの各ディジタル画像信号と、背景色の青に対応して予め設定された所定値ｒ，ｇ，ｂとをそれぞれに比較し、例えばＲ≦ｒ and Ｇ≧ｇ and Ｂ≧ｂであるときを背景部に対応する画素とし、それ以外を非背景部（被写体部）に対応する画素として判別し、背景部に対応するか否かを示す１ビット情報を画素毎に出力する。
【００２０】
本実施例の場合、被写体の背景色がバックスクリーン６の青であるから、被写体の頭の上に一定の空間を有して撮影するものとすれば、画面上方の所定数の走査線については、背景色に対応するカラー画像信号を得るはずである。
従って、画面の上から順番に各走査線の色成分を解析すれば、背景色に対応しないカラー画像信号が初めて表れた走査線を、被写体の頭部の上端に相当する走査線であると推定することができるものであり、検出回路26では前記頭部に相当する走査線が初めて検出されるまでの走査線数として、被写体の頭と画面の上端との間の距離ＨＶを検出する。
【００２１】
ここで、前記検出回路26で検出された距離ＨＶと該距離ＨＶの目標値とが比較され、実際の距離ＨＶが前記目標値に一致するように前記パルスモータ４を制御することで、ビデオカメラ３の撮影向きが上下方向に調整される。
上記機能が、撮影高さ変更手段に相当する。
同様にして、検出回路27では、画面内の所定高さ位置において、画面左端から背景色に対応する画素が途切れるまでの画素数をカウントすることで、画面左端から被写体の頭までの距離Ｌを検出し、更に、検出回路28では、前記背景色に対応する画素が途切れてから、再度背景色相当のカラー画像信号が得られるようになるまでの画素数をカウントすることで、頭部の幅ＨＷを検出する。
【００２２】
一方、図４において、前記Ａ／Ｄコンバータ24によって変換されたディジタル画像信号は、画面上端から被写体頭部までの距離ＨＶに基づいてカメラ３の撮影向きが上下方向に調整された時点で、オートフレーミング用の画像メモリ30（フレームメモリ）に記憶（フリーズ）される。
そして、かかる画像メモリ30からの読み出し時に、前記距離Ｌ，幅ＨＷの情報に基づいて判別される被写体の左右方向の位置ずれ量に基づいて、プログラマブルカウンタ29によってメモリアドレスを指定させることで、読み出し位置を被写体の左右方向における位置ずれ分だけ左右にシフトさせ、以って、被写体が画面左右方向の略中央に位置する画像が得られるようにする。
【００２３】
前記プログラマブルカウンタ29による読み出し位置の左右方向へのシフト量は以下のようにして決定される。
左右方向の位置を示すパラメータとして、前述のように画面左端から被写体頭部までの距離Ｌと、頭部の幅ＨＷとが検出されると、これらのデータとビデオカメラ３の画面横サイズＨＤとに基づいて画面中央から被写体中央までのずれ量Ｌ’（画素数）を、（ＨＤ−ＨＷ）／２−Ｌとして演算する。
【００２４】
このずれ量Ｌ’は、被写体が画面上で左にずれている場合にはプラスの値として算出され、逆に、右方向にずれている場合にはマイナスの値として算出される。
ここで、前記ずれ量Ｌ’をシフト量として、被写体が画面左右方向の略中央に位置するように読み出し位置をシフトさせれば良いことになり、前記読み出し位置のシフトは、プログラマブルカウンタ29によるメモリアドレスの指示によって行われ、かかる読み出し位置のシフトにより、左右方向にずれて撮影された被写体を画面左右方向の略中央に位置させた画像を得ることができるものである。
【００２５】
従って、前記読み出し位置のシフトによって読み出された画像は、シフト量の設定にミスがなければ、被写体が左右方向の中央で、然も、上端に所定空間を有した画像となる。最終的にＩＤカードのプリントに用いる画像サイズ（幅ｗ×高さｈ）は、前記ビデオカメラ３による撮影サイズよりも小さくなるようにしてあるから、前記読み出し画像における左右方向の中央に所定幅ｗを残して左右をトリミングし、更に、上端を基準として所定高さｈを残して上下をトリミングすることで、前記プリントサイズの画像を切り出せば、ＩＤカード用の画像を得ることができる（図５（ｂ）参照）。
【００２６】
本実施例では、上記のように、画像メモリ30からの読み出し位置のシフトによって自動的に被写体が中央に位置する画像を得られ、かかる画像の中央部分を切り出すことで、所望のプリント用顔画像を得ることができるものであるが、読み出し位置の設定ミスが発生する可能性がある。
そこで、本実施例では、正しく左右方向へのシフトが設定されていることをオペレータが確認してから、換言すれば、切り出し範囲の設定が適当であると確認されてから、最終的な画像出力が行われるようにしてある。
【００２７】
前記オペレータによる確認作業は、ＣＲＴ35における画像表示に基づいて目視により行われるようになっている。
ここで、前記読み出し位置シフトによって読み出された画像をそのままＣＲＴ35上に表示させても、ある程度はシフト位置の確認はできるが、微妙なシフト位置のずれを容易に判断することは困難である。
【００２８】
そこで、本実施例では、ＣＲＴ35上に顔画像を表示するときに、最終的に切り出される画像範囲を線で囲んで示す切り出し枠を顔画像に重ねて表示させるようにしてある。
上記の切り出し枠を顔画像に重ねて表示させる機能が、画枠設定状態表示手段に相当する。
具体的には、前記画像メモリ30から読み出された画像、即ち、被写体が画面左右方向の略中央に位置するように左右方向への自動的なシフトが行われた画像は、図４に示す構成で、Ｄ／Ａコンバータ31によってアナログ画像信号に戻され、更に、ローパスフィルタ32及びバッファメモリ33を介し、更に、枠重畳回路34によって前記切り出し枠表示が重ねられた後、ＣＲＴ35に出力される。
【００２９】
前記枠重畳回路34は、枠画像発生回路36で発生される切り出し枠の画像を、画像メモリ30から読み出された画像に重畳（スーパーインポーズ）するものである。
ここで、枠画像発生回路36にＣＰＵ11から送られるＨシフト量（水平方向シフト量）とＶシフト量（垂直方向シフト量）は、枠は固定で画像（被写体）が左右方向にシフトするので、予め設定された固定値となる。
【００３０】
従って、オペレータは、前記ＣＲＴ35の画面表示に基づいて、撮影画像のシフト状態と、最終的な切り出し枠との位置関係を目視確認でき、かかる目視確認によって所望のシフト設定がなされていると判断したときには、確定スイッチ19を操作することで、ＣＰＵ11に対して現状のシフト位置設定のままでプリント用画像の出力が行えることを知らせる。
このとき、ＣＰＵ11は、読み出し位置シフトがなされて読み出された顔画像データから、前記切り出し枠内の画像に対応する画像を切り出し、これをカード作成用の画像として出力する。
【００３１】
尚、前記画像の切り出しは、ＣＰＵ11が画像メモリ30上で画像を切り出す領域の座標データを予め持っており、前記切り出し領域に対応する座標位置の画像信号のみを取り込むことで行われる。
一方、ＣＲＴ35上に表示される顔画像と切り出し枠との位置関係から、自動設定されたシフト量が不適切で、被写体が画面の中央に位置していないと判断されたときには（図５（ａ）参照）、フレーミングを全て手動で行わせる再撮影を行わせたり、シフト量の再演算を行わせるなどしても良いが、読み出し位置のシフト量の修正によって手当てできるものである場合には、前記プログラマブルカウンタ29によるメモリアドレスの指定（読み出し位置のシフト量）をオペレータの指示に従って修正できるようにすることが好ましい。
【００３２】
前記シフト量の修正変更は、例えばオペレータのキーボード操作によって数値データとして入力させるようにしても良いが、前記読み出し位置シフトの変更は、そのままＣＲＴ35上での画像の水平方向の移動として目視確認できるので、ジョイステックやマウスやカーソルキーなどの位置入力装置20を用いて、シフト方向を指示できるようにし、該シフト方向の指示に従って前記シフト量が対応する方向に徐々に変化するように構成すると良い。
【００３３】
この場合、例えば図５（ａ）に示すように、顔画像の位置が左側にずれているとすると、位置入力装置20によって右方向への移動を指示することで、ＣＰＵ11がプログラマブルカウンタ29に与えるシフト量を対応する方向に徐々に変化させる。
このとき、前記シフト量の変化に応じてＣＲＴ35上の画像も右方向に徐々に移動するから、オペレータはＣＲＴ35の画面を見ながら位置入力装置20を操作し、画面上で切り出し枠の表示と顔画像との相対関係が所望状態になったところ（図５（ｂ）参照）で移動を停止させて、シフト量設定を適切な値に修正することができる。
【００３４】
かかる修正作業によって、適切なシフト量に設定されたことを目視確認すると、オペレータは前記確定スイッチ19を操作し、自動設定されたシフト量が適切であった場合と同じ切り出し範囲で画像信号の切り出しを行わせる。
尚、上記実施例では、ＣＲＴ35によるシフト量の目視確認のみを述べたが、ＣＲＴ35の表示によって、画像をフリーズしたときに被写体人物が目を瞑ったことを確認できるから、その場合には再撮影を行うようにすれば良い。
【００３５】
また、上記実施例では、左右方向のフレーミングのみを修正する構成としたが、上下方向のフレーミング位置の修正も同様にして行わせることができる。
即ち、垂直同期信号に基づきプログラマブルカウンタ29によるメモリアドレスの指定によって画像の上下方向のシフトが行われるようにしてあれば良く、切り出し枠の表示はそのままの位置としてＣＲＴ35上の顔画像を、ジョイステックなどを用いて上下左右に移動させることが可能である。
【００３６】
従って、ビデオカメラ３の向きをモータで変化させる構成を省略し、上下方向及び左右方向を、切り出し範囲の変更（読み出しシフト量の変更）によってフレーミングさせる構成とすることもできる。
更に、上記実施例では、画像内における被写体の位置を画像解析によって特定し、フリーズさせた前記画像メモリ30の画像の読み出し位置を、前記被写体位置の情報に応じてシフトさせることで、フレーミングがなされた静止画をＣＲＴ35上に表示させるようにしたが、最初から手動でフレーミングを行わせる構成としても良い。
【００３７】
この場合は、例えば動画の状態でＣＲＴ35に顔画像を表示させておき、かかる動画の顔画像に重ねて表示される静止画としての切り出し枠表示を参照しながら、位置入力装置20で顔画像を画面上で上下左右に動かすことで、手動でシフト量を決定し、タイミングを見計らってシャッタを切るようにすれば良い。
即ち、動画状態でフレーミングを決定してから静止画をフリーズする（画像メモリ30に画像をフリーズする）ようにしても良い。
【００３８】
また、上記実施例では、切り出し範囲を線で囲まれる枠としてＣＲＴ35上に表示させるようにしたが、図６に示すように、切り出し範囲の周囲、即ち、プリント対象外の画像をマスクして示すような構成であっても良く、本実施例ではかかるマスク表示も切り出し枠の表示形態に含まれるものとする。
更に、上記実施例では、ＣＲＴ35上に固定された切り出し枠を表示し、これに対して顔画像の表示位置をシフトさせることで、切り出し範囲の設定状態を目視確認できるようにしたが、これは、上記実施例が、切り出し範囲を固定とし、これに合わせるように画像の読み出しシフト量を決定する方法を取っているためである。
【００３９】
従って、上記とは逆に、撮影された画像内で切り出し範囲を動かして、適正なフレーミングがなされた画像を得られる切り出し位置を可変設定する構成としても良く（図１０参照）、この場合には、ＣＲＴ35の表示においても、顔画像を固定とし、かかる顔画像に重畳させる切り出し枠（切り出しマスク）の表示を動かすようにし、最終的に設定された切り出し枠の座標データから、画像の切り出しを行わせるようにすれば良い。
【００４０】
上記のように、切り出し枠の表示の方を動かす場合には、図７に示すように、図４に示したプログラマブルカウンタ29は不要となり、代わりに、枠画像発生回路36における切り出し枠の発生位置をＣＰＵ11からの信号に基づいて可変制御できるようにする。
ここで、前記図７に示される枠重畳回路34及び枠画像発生回路36の詳細を、図８の構成ブロック図に従い図９のタイムチャートを参照しつつ説明する。
【００４１】
尚、図９のタイムチャートは枠の横線を発生させるタイムチャートである。
図８において、Ｖカウンタ101 で水平同期信号ＨＳＹＮＣ（走査線）をカウントさせる。
そして、加減算器102 では、ＣＰＵ11から入力される垂直方向のシフト量（Ｖシフト量）に基づき前記Ｖカウンタ101 におけるカウント値を増減修正することで、基準の横線発生位置を上下に変化させるようにする。
【００４２】
前記加減算器102 を介して走査線のカウントデータが入力されるデコーダ103では、走査線位置の情報に基づいて上下に一対の所定太さ（例えば４ライン分の幅）の枠信号を発生させる（図９の横枠信号）。
更に、前記発生させた枠信号で決定される上下範囲以外（図１１のＡ，Ｂ領域）では、後述する回路で発生させる縦線が不要となることから、前記デコーダ103 では、前記縦線の不要領域をマスクするためのマスク信号（Ｈ方向有効信号）を発生する。
【００４３】
一方、Ｈカウンタ104 では、ビデオクロックをカウントし、該カウント値は前記同様に加減算器105 においてＣＰＵ11から入力される水平方向のシフト量（Ｈシフト量）に基づき修正を受け、該修正されたカウント値に基づきデコーダ106 で縦線の枠信号を発生させる。
ここでも、縦線で挟まれる左右方向の範囲以外（図１１のＣ，Ｄ領域）では前記横線は不要となるから、かかる不要領域における横線の発生を回避すべくマスク信号（Ｖ方向有効信号：図９のマスク信号）を発生する。
【００４４】
前記デコーダ103 から出力される横線の枠信号と前記デコーダ106 から出力されるマスク信号との論理積演算をＡＮＤ回路107 で行わせることで、水平方向におけるシフト量に見合った範囲内でのみ横線が表示されるようにし（図９のＡＮＤ出力）、同様にして、デコーダ106 から出力される縦線の枠信号と前記デコーダ104 から出力されるマスク信号との論理積演算をＡＮＤ回路108 で行わせることで、垂直方向におけるシフト量に見合った範囲内でのみ縦線が表示されるようにする。
【００４５】
そして、前記不要領域のマスクが行われた縦横の枠信号（ＡＮＤ回路107，108 の出力）の論理和演算をＯＲ回路109 で行わせることで縦横の切り出し枠の画像を合成し、かかる演算結果を枠重畳回路34に出力する。
枠重畳回路34では、前記ＯＲ回路109 から出力される枠信号をセレクト信号として、アナログスイッチ110 を切り換え、枠の色を決めるＲ，Ｇ，Ｂのプリセット値を撮影画像信号に代えて出力する。
【００４６】
上記構成において、オペレータが走査するジョイステックなどの位置入力装置20の指示に従ってＣＰＵ11が前記加減算器102 ，105 に出力するシフト量を変化させることで、画面上における切り出し枠の表示が動くことになる。
切り出し枠が所望位置に移動したときに、前記確定スイッチ19をオペレータが操作すると、ＣＰＵ11は、前記加減算器102 ，105 に出力しているシフト量の情報から切り出し範囲の座標データを検知し、かかる検知結果に応じて画像の切り出しを行うことで、ＣＲＴ35上で確認した切り出し画像と同じ画像をプリント用データとして出力させることができる。
【００４７】
尚、前述の切り出し枠の表示を固定し、該固定された切り出し枠表示に対して顔画像の位置をシフトさせる実施例では、前記図８におけるＨシフト量，Ｖシフト量を固定とすれば良い。
また、顔画像を固定とし、切り出し範囲を示す表示を移動させる構成においても、図６に示したマスク画像を用いるようにしても良い。
【図面の簡単な説明】
【００４８】
【図１】実施例のシステム構成の全体を示す外観斜視図。
【図２】フレーミング用制御ユニットの構成を示すブロック図。
【図３】フレーミング制御における各種パラメータを示す図。
【図４】オートフレーミング基板の構成を示すブロック図。
【図５】ＣＲＴ上における顔画像と切り出し枠表示との関係を示す図。
【図６】切り出し範囲表示の他例を示す図。
【図７】オートフレーミング基板の別の実施例を示すブロック図。
【図８】枠画像発生回路及び枠重畳回路の詳細を示すブロック図。
【図９】枠画像発生の特性を示すタイムチャート。
【図１０】ＣＲＴ上における顔画像と切り出し枠表示との関係を示す図。
【図１１】枠信号発生におけるマスク領域を示す図。
【符号の説明】
【００４９】
３…ビデオカメラ
10…オートフレーミング基板
11…ＣＰＵ
19…確定スイッチ
20…位置入力装置
29…プログラマブルカウンタ
30…画像メモリ
34…枠重畳回路
35…ＣＲＴ
36…枠画像発生回路
【図１】
2004201331.tif 000003
【図２】
2004201331.tif 000004
【図３】
2004201331.tif 000005
【図４】
2004201331.tif 000006
【図５】
2004201331.tif 000007
【図６】
2004201331.tif 000008
【図７】
2004201331.tif 000009
【図８】
2004201331.tif 000010
【図９】
2004201331.tif 000011
【図１０】
2004201331.tif 000012
【図１１】
2004201331.tif 000013